(57)【特許請求の範囲】
【請求項１】
アクセスネットワークのネットワークエレメントにより送信されたアグリゲーション要求メッセージを受信するステップと、
前記アグリゲーション要求メッセージの内容に基づいてアグリゲーション要求結果を決定するステップと、
前記アグリゲーション要求結果を前記アクセスネットワークのネットワークエレメントに送信するステップと
を含み、
前記アグリゲーション要求メッセージは、無線ネットワークのネットワークエレメントの追加要求メッセージ、無線ネットワークのネットワークエレメントの削除要求メッセージ、及び無線ネットワークのネットワークエレメントの修正要求メッセージを含み、
前記アグリゲーション要求メッセージが、無線ネットワークのネットワークエレメントの修正要求メッセージである場合、前記アグリゲーション要求メッセージは、アグリゲーション配置情報を含み、前記アグリゲーション配置情報は、無線アクセスポイントＡＰリスト、ＵＥから報告された関連ＡＰ測定情報の中の一つ又は複数の情報を含み、前記無線アクセスポイントＡＰリストは、複数のＡＰ情報を含み、
前記アグリゲーション要求メッセージが、無線ネットワークのネットワークエレメントの修正要求メッセージである場合、前記アグリゲーション要求メッセージは、更にユーザ機器ＵＥ識別子情報、無線ネットワークのネットワークエレメントの修正原因情報、無線ネットワークのネットワークエレメントの修正指示情報、ベアラオフロード修正要求情報、サービス公衆陸上移動体ネットワークＰＬＭＮ情報、アグリゲーション要求最大レート情報、ＵＥの認証情報、ＵＥの鍵情報、ＵＥユーザデータ伝送のＩＰアドレス情報の中の一つ又は複数を含む
３ＧＰＰ−ＷＬＡＮのアグリゲーション方法。
【請求項２】
前記アグリゲーション要求メッセージが無線ネットワークのネットワークエレメントの追加要求メッセージである場合、前記アグリゲーション要求メッセージは、ユーザ機器ＵＥ識別子情報、ベアラオフロード要求情報、アグリゲーション配置情報、アグリゲーションのために提案された公衆陸上移動体ネットワークＰＬＭＮ情報、アグリゲーション要求最大レート情報、ＵＥの認証情報、ＵＥの鍵情報、ＵＥユーザデータ伝送のＩＰアドレス情報の中の一つ又は複数を含む
請求項１に記載の方法。
【請求項３】
前記アグリゲーション要求メッセージの内容に基づいてアグリゲーション要求結果を決定するステップは、
前記アグリゲーション要求メッセージ中のベアラオフロード要求情報及び前記無線ネットワークのネットワークエレメントのベアラ容量情報に基づいて、ベアラオフロード受け入れ情報及び／又はベアラオフロード拒絶情報及び／又は追加失敗情報を決定するステップと、
前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するステップとを含む
請求項２に記載の方法。
【請求項４】
前記アグリゲーション要求結果を前記アクセスネットワークのネットワークエレメントに送信した後に、
アクセスネットワークのネットワークエレメントにより送信された無線ネットワークのネットワークエレメントの配置完了メッセージを受信するステップをさらに含み、
前記無線ネットワークのネットワークエレメントの配置完了メッセージは、ＵＥエアインタフェース再配置の完了及びアグリゲーション配置の完了を決定するために用いられる  請求項３に記載の方法。
【請求項５】
前記アグリゲーション要求メッセージが無線ネットワークのネットワークエレメントの削除要求メッセージである場合、前記アグリゲーション要求メッセージは、ユーザ機器ＵＥ識別子情報、無線ネットワークのネットワークエレメントの削除原因情報、ベアラ削除情報の中の一つ又は複数を含む
請求項１に記載の方法。
【請求項６】
前記アグリゲーション要求結果を前記アクセスネットワークのネットワークエレメントに送信した後に、
アクセスネットワークのネットワークエレメントにより送信された無線ネットワークのネットワークエレメント削除確認メッセージを受信するステップをさらに含む
請求項５に記載の方法。
【請求項７】
前記アグリゲーション要求メッセージの内容に基づいてアグリゲーション要求結果を決定するステップは、
前記アグリゲーション要求メッセージ中のベアラオフロード修正要求情報及び前記無線ネットワークのネットワークエレメントのベアラ容量情報に基づいて、ベアラオフロード修正受け入れ情報及び／又はベアラオフロード修正拒絶情報及び／又は修正失敗情報を決定するステップと、
前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するステップとを含む
請求項１に記載の方法。
【請求項８】
前記アグリゲーション配置情報は、ＵＥのメディアアクセス制御ＭＡＣアドレス情報を更に含む、
請求項１又は２に記載の方法。
【請求項９】
アクセスネットワークのネットワークエレメントから送信されたアグリゲーション要求メッセージを受信するように構成された受信モジュールと、
前記アグリゲーション要求メッセージの内容に基づいてアグリゲーション要求結果を決定するように構成された解析モジュールと、
前記アグリゲーション要求結果を前記アクセスネットワークのネットワークエレメントに送信するように構成された送信モジュールと
を備え、
前記アグリゲーション要求メッセージは、無線ネットワークのネットワークエレメントの追加要求メッセージ、無線ネットワークのネットワークエレメントの削除要求メッセージ、及び無線ネットワークのネットワークエレメントの修正要求メッセージを含み、
前記アグリゲーション要求メッセージが、無線ネットワークのネットワークエレメントの修正要求メッセージである場合、前記アグリゲーション要求メッセージは、アグリゲーション配置情報を含み、前記アグリゲーション配置情報は、無線アクセスポイントＡＰリスト、ＵＥから報告された関連ＡＰ測定情報の中の一つ又は複数の情報を含み、前記無線アクセスポイントＡＰリストは、複数のＡＰ情報を含み、
前記アグリゲーション要求メッセージが、無線ネットワークのネットワークエレメントの修正要求メッセージである場合、前記アグリゲーション要求メッセージは、更にユーザ機器ＵＥ識別子情報、無線ネットワークのネットワークエレメントの修正原因情報、無線ネットワークのネットワークエレメントの修正指示情報、ベアラオフロード修正要求情報、サービス公衆陸上移動体ネットワークＰＬＭＮ情報、アグリゲーション要求最大レート情報、ＵＥの認証情報、ＵＥの鍵情報、ＵＥユーザデータ伝送のＩＰアドレス情報の中の一つ又は複数を含む
３ＧＰＰ−ＷＬＡＮのアグリゲーション装置。
【請求項１０】
前記アグリゲーション要求メッセージが無線ネットワークのネットワークエレメントの追加要求メッセージである場合、前記解析モジュールは、
前記アグリゲーション要求メッセージ中のベアラオフロード要求情報及び前記無線ネットワークのネットワークエレメントのベアラ容量情報に基づいて、ベアラオフロード受け入れ情報及び／又はベアラオフロード拒絶情報及び／又は追加失敗情報を決定し、
前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するように構成される
請求項９に記載の装置。
【請求項１１】
前記受信モジュールは、さらに、
アクセスネットワークのネットワークエレメントにより送信された無線ネットワークのネットワークエレメントの配置完了メッセージを受信するように構成され、
前記無線ネットワークのネットワークエレメントの配置完了メッセージは、ＵＥエアインタフェース再配置の完了及びアグリゲーション配置の完了を決定するために用いられる  請求項１０に記載の装置。
【請求項１２】
前記アグリゲーション要求メッセージが無線ネットワークのネットワークエレメントの削除要求メッセージである場合、前記受信モジュールは、さらに、
アクセスネットワークのネットワークエレメントにより送信された無線ネットワークのネットワークエレメント削除確認メッセージを受信するように構成される
請求項９に記載の装置。
【請求項１３】
前記アグリゲーション要求メッセージが無線ネットワークのネットワークエレメントの修正要求メッセージである場合、前記解析モジュールは、
前記アグリゲーション要求メッセージ中のベアラオフロード修正要求情報及び前記無線ネットワークのネットワークエレメントのベアラ容量情報に基づいて、ベアラオフロード修正受け入れ情報及び／又はベアラオフロード修正拒絶情報及び／又は修正失敗情報を決定し、
前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するように構成される
請求項９に記載の装置。
【請求項１４】
コンピュータ実行可能な命令が記憶されたコンピュータ読み取り可能な記録媒体であって、
前記コンピュータ実行可能な命令は、請求項１〜８のいずれか１項に記載の方法を実行するために用いられる
記録媒体。
【発明の詳細な説明】
【技術分野】
【０００１】
本発明は、無線セルラ通信分野に関するものであるが、これに限定されるものではない。
【背景技術】
【０００２】
現在、ユーザ端末が無線ネットワークに高速でアクセスして高品質のサービスを楽しむことができるように、種々の先進的な無線アクセス技術（Ｍｕｌｔｉｐｌｅ  Ｒａｄｉｏ  Ａｃｃｅｓｓ  Ｔｅｃｈｎｏｌｏｇｙ：Ｍｕｌｔｉ−ＲＡＴ）が共存している。ここで、代表的な技術としては、ＬＴＥ（Ｌｏｎｇ  Ｔｅｒｍ  Ｅｖｏｌｕｔｉｏｎ、ロングタームエボリューション）に代表される無線ワイドエリアネットワークアクセス技術、及びＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、電気電子技術者協会）８０２．１１に代表される無線ローカルエリアネットワーク技術が挙げられる。ＷＬＡＮ（Ｗｉｒｅｌｅｓｓ  Ｌｏｃａｌ  Ａｒｅａ  Ｎｅｔｗｏｒｋｓ、無線ローカルエリアネットワーク）とは、ある地域内で無線通信技術を用いて構築されたネットワークであり、そのアーキテクチャの概略図を図１に示す。ＷＬＡＮは、ＬＴＥに比べてカバレッジが小さく、アクセス速度が高く、使用コストが低い。
【０００３】
ＬＴＥネットワークは、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）無線通信ファミリのネットワークにおける典型的な代表例として、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ、進化型ユニバーサル地上無線アクセスネットワーク）基地局ｅＮＢ（Ｅｖｏｌｖｅｄ  ＮｏｄｅＢ）及び進化型パケット交換中心ＥＰＣ（Ｅｖｏｌｖｅｄ  Ｐａｃｋｅｔ  Ｃｏｒｅ）  から構成され、ネットワークをフラットにさせる（Ｆｌａｔ  Ｎｅｔｗｏｒｋ）。ここで、Ｅ−ＵＴＲＡＮは、Ｓ１インタフェースを介してＥＰＣに接続されるｅＮＢの集合を含み、ｅＮＢの間はＸ２を介して接続されることができる。Ｓ１、Ｘ２は論理インタフェースである。一つのＥＰＣは一つ又は複数のｅＮＢを管理することができ、一つのＮｏｄｅＢは複数のＥＰＣに制御されることができ、一つのｅＮＢは一つ又は複数のセルを管理することができる。ＬＴＥ−Ａ（Ｌｏｎｇ  Ｔｅｒｍ  Ｅｖｏｌｕｔｉｏｎ  Ａｄｖａｎｃｅｄ、ロングタームエボリューションアドバンス）システムは、ＬＴＥシステムから進化されたもので、そのネットワークアーキテクチャはＬＴＥに一致する。ＬＴＥは４Ｇ技術である。ＬＴＥは、３Ｇに比べてより高いデータレート、低遅延の伝送、業務のサービス品質（ＱｏＳ）の確保などの多方面の技術的メリットを有する。また、ＬＴＥは、ＷＬＡＮに比べてより広い範囲をカバーでき、ユーザ端末の高速移動とローミングとをサポートする。
【０００４】
将来の通信ネットワークの継続的な進化に伴い、２Ｇ、３Ｇ、ＬＴＥ統合ネットワ−キング、及び３ＧＰＰ−ＷＬＡＮ統合ネットワ−キングなどを含む様々な方式のネットワークモードの共存は避けられない傾向となり、ここで、ＬＴＥ−ＷＬＡＮ統合ネットワ−キングの模式図を図２に示す。ＷＬＡＮと３ＧＰＰとの無線通信ファミリネットワークの相補的な特性のため、３ＧＰＰ−ＷＬＡＮの相互接続インターワーキングはデバイスメーカ、システムインテグレータ、オペレーター、及び研究機関の間でホットな問題の一つとなっている。その基本的な原則は、ＷＬＡＮ及び３ＧＰＰの既存の規格とシステムへの影響をできる限り減少させることであり、即ちＷＬＡＮ規格を変更せずに維持させ、３ＧＰＰの既存の仕様に対する修正を最小限に抑えることである。３ＧＰＰとＷＬＡＮのインターワーキング及び総合的構造設計の鍵は、ＩＥＥＥ  ８０２．１１規格に基づき、３ＧＰＰとＷＬＡＮとの間におけるインタラクティブ機能を提供することである。
【０００５】
３ＧＰＰとＷＬＡＮとのインターワーキングは、二つのシステムの間における直接インタフェースに基づいている。「Ｗｉｒｅｌｅｓｓ  ＬＡＮ  Ｔｅｒｍｉｎａｔｉｏｎ」（ＷＴ、無線ローカルエリアネットワークターミネーション）を、ＬＴＥ−ＷＬＡＮインタフェースＸｗのＷＬＡＮシステム側におけるターミネーションポイントとして定義する。ＷＴは、一つの論理的なエンティティであってもよく、独立なネットワークエレメントであってもよく、ＡＰ／ＡＣ（Ｗｉｒｅｌｅｓｓ  Ａｃｃｅｓｓ  Ｐｏｉｎｔ／Ｗｉｒｅｌｅｓｓ  Ａｃｃｅｓｓ  Ｃｏｎｔｒｏｌｌｅｒ、無線アクセスポイント／無線アクセスコントローラ）上で実現しても良い。ＷＴには複数のＷＬＡＮアクセスネットワークエレメントが接続されでもよい。ユーザがＬＴＥ  ｅＮＢのような３ＧＰＰシステムにアクセスした後、ＷＴを追加、修正、又は削除することによってＬＴＥ−ＷＬＡＮのアグリゲーション動作を実施することができ、ＬＴＥおよびＷＬＡＮシステムは、同時にＵＥにデータ伝送を提供することで、ユーザスループットを向上させ、ネットワーク容量を増加させる。
【０００６】
従って、３ＧＰＰおよびＷＬＡＮ統合ネットワ−キングの場合に、クロスシステムシーンにおいて、３ＧＰＰ−ＷＬＡＮのアグリゲーションをどのように実現してオフロードの目的に達するのかは緊急に解決されるべき問題である。
【発明の概要】
【発明が解決しようとする課題】
【０００７】
以下は、本明細書で詳細に説明している主題の概要である。本概要は、特許請求の範囲を限定するものではない。
【０００８】
本発明は、３ＧＰＰ−ＷＬＡＮ統合ネットワ−キングシーンにおけるアグリゲーションを実現することができる３ＧＰＰ−ＷＬＡＮのアグリゲーション方法及び装置を提供する。
【課題を解決するための手段】
【０００９】
本発明は、３ＧＰＰ−ＷＬＡＮのアグリゲーション方法を提供し、前記方法は、アクセスネットワークのネットワークエレメントにより送信されたアグリゲーション要求メッセージを受信するステップと、前記アグリゲーション要求メッセージの内容に基づいてアグリゲーション要求結果を決定するステップと、前記アグリゲーション要求結果を前記アクセスネットワークのネットワークエレメントに送信するステップとを含む。
【００１０】
ここで、前記アグリゲーション要求メッセージは、無線ネットワークのネットワークエレメントの追加要求メッセージ、無線ネットワークのネットワークエレメントの削除要求メッセージ、及び無線ネットワークのネットワークエレメントの修正要求メッセージを含む。
【００１１】
選択的に、前記アグリゲーション要求メッセージが無線ネットワークのネットワークエレメントの追加要求メッセージである場合、前記アグリゲーション要求メッセージは、ユーザ機器ＵＥ識別子情報、ベアラオフロード要求情報、アグリゲーション配置情報、アグリゲーションのために提案された公衆陸上移動体ネットワークＰＬＭＮ情報、アグリゲーション要求最大レート情報、ＵＥの認証情報、ＵＥの鍵情報、ＵＥユーザデータ伝送のＩＰアドレス情報の中の一つ又は複数を含む。
【００１２】
選択的に、前記アグリゲーション要求メッセージの内容に基づいてアグリゲーション要求結果を決定するステップは、前記アグリゲーション要求メッセージ中のベアラオフロード要求情報及び前記無線ネットワークのネットワークエレメントのベアラ容量情報に基づいて、ベアラオフロード受け入れ情報及び／又はベアラオフロード拒絶情報及び／又は追加失敗情報を決定するステップと、前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するステップとを含む。
【００１３】
選択的に、前記アグリゲーション要求結果を前記アクセスネットワークのネットワークエレメントに送信した後に、アクセスネットワークのネットワークエレメントにより送信された無線ネットワークのネットワークエレメントの配置完了メッセージを受信するステップをさらに含み、前記無線ネットワークのネットワークエレメントの配置完了メッセージは、ＵＥエアインタフェース再配置の完了及びアグリゲーション配置の完了を決定するために用いられる。
【００１４】
選択的に、前記アグリゲーション要求メッセージが無線ネットワークのネットワークエレメントの削除要求メッセージである場合、前記アグリゲーション要求メッセージは、ユーザ機器ＵＥ識別子情報、無線ネットワークのネットワークエレメントの削除原因情報、ベアラ削除情報の中の一つ又は複数を含む。
【００１５】
選択的に、前記アグリゲーション要求結果を前記アクセスネットワークのネットワークエレメントに送信した後に、アクセスネットワークのネットワークエレメントにより送信された無線ネットワークのネットワークエレメント削除確認メッセージを受信するステップをさらに含む。
【００１６】
選択的に、前記アグリゲーション要求メッセージが、無線ネットワークのネットワークエレメントの修正要求メッセージである場合、前記アグリゲーション要求メッセージは、ユーザ機器ＵＥ識別子情報、無線ネットワークのネットワークエレメントの修正原因情報、無線ネットワークのネットワークエレメントの修正指示情報、ベアラオフロード修正要求情報、アグリゲーション配置情報、サービス公衆陸上移動体ネットワークＰＬＭＮ情報、アグリゲーション要求最大レート情報、ＵＥの認証情報、ＵＥの鍵情報、ＵＥユーザデータ伝送のＩＰアドレス情報の中の一つ又は複数を含む。
【００１７】
選択的に、前記アグリゲーション要求メッセージの内容に基づいてアグリゲーション要求結果を決定するステップは、前記アグリゲーション要求メッセージ中のベアラオフロード修正要求情報及び前記無線ネットワークのネットワークエレメントのベアラ容量情報に基づいて、ベアラオフロード修正受け入れ情報及び／又はベアラオフロード修正拒絶情報及び／又は修正失敗情報を決定するステップと、前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するステップとを含む。
【００１８】
選択的に、前記アグリゲーション配置情報は、無線アクセスポイントＡＰリスト、ＵＥから報告された関連ＡＰ測定情報、ＵＥのメディアアクセス制御ＭＡＣアドレス情報の中の一つ又は複数の情報を含み、前記ＡＰリストは、一つ又は複数のＡＰ情報を含む。
【００１９】
また、本発明は３ＧＰＰ−ＷＬＡＮのアグリゲーション装置を提供し、前記装置は、アクセスネットワークのネットワークエレメントから送信されたアグリゲーション要求メッセージを受信するように構成された受信モジュールと、前記アグリゲーション要求メッセージの内容に基づいてアグリゲーション要求結果を決定するように構成された解析モジュールと、前記アグリゲーション要求結果を前記アクセスネットワークのネットワークエレメントに送信するように構成された送信モジュールとを備える。
【００２０】
選択的に、前記アグリゲーション要求メッセージが無線ネットワークのネットワークエレメントの追加要求メッセージである場合、前記解析モジュールは、前記アグリゲーション要求メッセージ中のベアラオフロード要求情報及び前記無線ネットワークのネットワークエレメントのベアラ容量情報に基づいて、ベアラオフロード受け入れ情報及び／又はベアラオフロード拒絶情報及び／又は追加失敗情報を決定し、前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するように構成される。
【００２１】
選択的に、前記受信モジュールは、さらに、アクセスネットワークのネットワークエレメントにより送信された無線ネットワークのネットワークエレメントの配置完了メッセージを受信するように構成され、前記無線ネットワークのネットワークエレメントの配置完了メッセージは、ＵＥエアインタフェース再配置の完了及びアグリゲーション配置の完了を決定するために用いられる。
【００２２】
選択的に、前記アグリゲーション要求メッセージが無線ネットワークのネットワークエレメントの削除要求メッセージである場合、前記受信モジュールは、さらに、アクセスネットワークのネットワークエレメントにより送信された無線ネットワークのネットワークエレメント削除確認メッセージを受信するように構成される。
【００２３】
選択的に、前記アグリゲーション要求メッセージが無線ネットワークのネットワークエレメントの修正要求メッセージである場合、前記解析モジュールは、前記アグリゲーション要求メッセージ中のベアラオフロード修正要求情報及び前記無線ネットワークのネットワークエレメントのベアラ容量情報に基づいて、ベアラオフロード修正受け入れ情報及び／又はベアラオフロード修正拒絶情報及び／又は修正失敗情報を決定し、前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するように構成される。
【００２４】
また、本発明は、上記いずれか１項に記載の方法を実行するためのコンピュータ実行可能な命令が記憶されたコンピュータ読み取り可能な記録媒体を提供する。
【発明の効果】
【００２５】
本発明の実施例に係る方法及び装置によれば、複数のシステムが同時にＵＥにサービスを提供できるように、３ＧＰＰ−ＷＬＡＮ統合ネットワ−キングシーンにおけるアグリゲーションを実現することができる。
【００２６】
図面及び詳細な説明の閲読及び理解を通じて、本発明の他の方面を理解することができる。
【図面の簡単な説明】
【００２７】
【図１】従来技術に係るＷＬＡＮシステムアーキテクチャの模式図である。
【図２】従来技術に係るＬＴＥ−ＷＬＡＮ統合システムアーキテクチャの模式図である。
【図３】本発明の実施例に係る３ＧＰＰ−ＷＬＡＮのアグリゲーション方法のフローチャートである。
【図４】本発明の実施例に係る３ＧＰＰ−ＷＬＡＮのアグリゲーション装置の構成の模式図である。
【図５】本発明の実施例１に係るＷＴ追加のフローチャートである。
【図６】本発明の実施例２に係るｅＮＢによってトリガされるＷＴ削除のフローチャートである。
【図７】本発明の実施例３に係るＷＴによってトリガされるＷＴ削除のフローチャートである。
【図８】本発明の実施例４に係るｅＮＢによってトリガされるＷＴ修正のフローチャートである。
【図９】本発明の実施例５に係るＷＴによってトリガされるＷＴ修正のフローチャートである。
【発明を実施するための形態】
【００２８】
以下、図面を参照して本発明の実施形態を説明する。なお、本発明の実施例及び実施例における特徴は、矛盾しない限り、互いに任意に組み合わせてもよい。
【００２９】
図３に示すように、本発明の実施例は３ＧＰＰ−ＷＬＡＮのアグリゲーション方法を提供し、前記方法は、下記のステップ３０１〜ステップ３０３を含む。
ステップ３０１：アクセスネットワークのネットワークエレメントにより送信されたアグリゲーション要求メッセージを受信する。
ステップ３０２：前記アグリゲーション要求メッセージの内容に基づいてアグリゲーション要求結果を決定する。
ステップ３０３：前記アグリゲーション要求結果を前記アクセスネットワークのネットワークエレメントに送信する。
【００３０】
前記アグリゲーション要求メッセージは、無線ネットワークのネットワークエレメントの追加要求メッセージ、無線ネットワークのネットワークエレメントの削除要求メッセージ、及び無線ネットワークのネットワークエレメントの修正要求メッセージを含む。
【００３１】
前記アグリゲーション要求メッセージが無線ネットワークのネットワークエレメントの追加要求メッセージである場合、前記アグリゲーション要求メッセージは、ユーザ機器ＵＥ識別子情報、ベアラオフロード要求情報、アグリゲーション配置情報、アグリゲーションのために提案された公衆陸上移動体ネットワークＰＬＭＮ情報、アグリゲーション要求最大レート情報、ＵＥの認証情報、ＵＥの鍵情報、ＵＥユーザデータ伝送のＩＰアドレス情報の中の一つ又は複数を含む。
【００３２】
選択的に、前記アグリゲーション配置情報は、一つ又は複数のＡＰ情報を有するＡＰリスト、ＵＥから報告された関連ＡＰ測定情報、ＵＥのＭＡＣアドレス情報の中の一つ又は複数の情報を含むが、これに限定されるものではない。
【００３３】
前記アグリゲーション要求メッセージの内容に基づいてアグリゲーション要求結果を決定するステップは、前記アグリゲーション要求メッセージ中のベアラオフロード要求情報及び前記無線ネットワークのネットワークエレメントのベアラ容量情報に基づいて、ベアラオフロード受け入れ情報及び／又はベアラオフロード拒絶情報及び／又は追加失敗情報を決定するステップと、前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するステップとを含む。
【００３４】
ここで、無線ネットワークのネットワークエレメントのベアラ容量情報は、ネットワークエレメントローカル負荷、及びハードウェア処理能力などの情報によって決定される。
【００３５】
前記アグリゲーション要求結果を前記アクセスネットワークのネットワークエレメントに送信した後に、アクセスネットワークのネットワークエレメントにより送信された無線ネットワークのネットワークエレメントの配置完了メッセージを受信するステップをさらに含み、前記無線ネットワークのネットワークエレメントの配置完了メッセージは、ＵＥエアインタフェース再配置の完了及びアグリゲーション配置の完了を決定するために用いられる。
【００３６】
前記アグリゲーション要求メッセージが無線ネットワークのネットワークエレメントの削除要求メッセージである場合、前記アグリゲーション要求メッセージは、ユーザ機器ＵＥ識別子情報、無線ネットワークのネットワークエレメントの削除原因情報、ベアラ削除情報の中の一つ又は複数を含む。
【００３７】
前記アグリゲーション要求結果を前記アクセスネットワークのネットワークエレメントに送信した後に、アクセスネットワークのネットワークエレメントにより送信された無線ネットワークのネットワークエレメント削除確認メッセージを受信するステップをさらに含む。
【００３８】
前記アグリゲーション要求メッセージが、無線ネットワークのネットワークエレメントの修正要求メッセージである場合、前記アグリゲーション要求メッセージは、ユーザ機器ＵＥ識別子情報、無線ネットワークのネットワークエレメントの修正原因情報、無線ネットワークのネットワークエレメントの修正指示情報、ベアラオフロード修正要求情報、アグリゲーション配置情報、サービス公衆陸上移動体ネットワークＰＬＭＮ情報、アグリゲーション要求最大レート情報、ＵＥの認証情報、ＵＥの鍵情報、ＵＥユーザデータ伝送のＩＰアドレス情報の中の一つ又は複数を含む。
【００３９】
選択的に、前記アグリゲーション配置情報は、一つ又は複数のＡＰ情報を有するＡＰリスト、ＵＥから報告された関連ＡＰ測定情報、ＵＥのＭＡＣアドレス情報の中の一つ又は複数の情報を含むが、これに限定されるものではない。
【００４０】
前記アグリゲーション要求メッセージの内容に基づいてアグリゲーション要求結果を決定するステップは、前記アグリゲーション要求メッセージ中のベアラオフロード修正要求情報及び前記無線ネットワークのネットワークエレメントのベアラ容量情報に基づいて、ベアラオフロード修正受け入れ情報及び／又はベアラオフロード修正拒絶情報及び／又は修正失敗情報を決定するステップと、前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するステップとを含む。
【００４１】
また、本発明の実施例によれば、上記方法を実行するためのコンピュータ実行可能な命令が記憶されたコンピュータ読み取り可能な記録媒体を提供する。
【００４２】
図４に示すように、本発明は３ＧＰＰ−ＷＬＡＮのアグリゲーション装置を提供し、前記装置は、アクセスネットワークのネットワークエレメントにより送信されたアグリゲーション要求メッセージを受信するように構成された受信モジュール４１と、前記アグリゲーション要求メッセージの内容に基づいてアグリゲーション要求結果を決定するように構成された解析モジュール４２と、前記アグリゲーション要求結果を前記アクセスネットワークのネットワークエレメントに送信するように構成された送信モジュール４３とを備える。
【００４３】
ここで、前記アグリゲーション要求メッセージが無線ネットワークのネットワークエレメントの追加要求メッセージである場合、前記解析モジュールは、前記アグリゲーション要求メッセージ中のベアラオフロード要求情報及び前記無線ネットワークのネットワークエレメントのベアラ容量情報に基づいて、ベアラオフロード受け入れ情報及び／又はベアラオフロード拒絶情報及び／又は追加失敗情報を決定し、前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するように構成される。
【００４４】
前記受信モジュールは、さらに、アクセスネットワークのネットワークエレメントにより送信された無線ネットワークのネットワークエレメントの配置完了メッセージを受信するように構成され、前記無線ネットワークのネットワークエレメントの配置完了メッセージは、ＵＥエアインタフェース再配置の完了及びアグリゲーション配置の完了を決定するために用いられる。
【００４５】
前記アグリゲーション要求メッセージが無線ネットワークのネットワークエレメントの削除要求メッセージである場合、前記受信モジュールは、さらに、アクセスネットワークのネットワークエレメントにより送信された無線ネットワークのネットワークエレメント削除確認メッセージを受信するように構成される。
【００４６】
前記アグリゲーション要求メッセージが無線ネットワークのネットワークエレメントの修正要求メッセージである場合、前記解析モジュールは、前記アグリゲーション要求メッセージ中のベアラオフロード修正要求情報及び前記無線ネットワークのネットワークエレメントのベアラ容量情報に基づいて、ベアラオフロード修正受け入れ情報及び／又はベアラオフロード修正拒絶情報及び／又は修正失敗情報を決定し、前記アグリゲーション要求メッセージ中のアグリゲーション要求最大レート情報及び前記無線ネットワークのネットワークエレメントのベアラ容量情報に基づいて、ＵＥアグリゲーション許容最大レート情報を決定するように構成される。
【００４７】
説明の便宜上、以下の実施例において、３ＧＰＰシステムアクセスネットワーク側のネットワークエレメントとしてｅＮＢを例にし、ＷＬＡＮシステムネットワークエレメントとしてＷＴを例にして説明する。３Ｇシステムにおいて、ＲＮＣであってもよい。ＷＬＡＮシステムネットワークエレメントは、ＡＰ又はＡＣであってもよい。
【００４８】
実施例１
ＷＴ追加のフローを図５に示す。
ステップ５０１：ｅＮＢはＷＴに追加要求メッセージを送信する。当該メッセージは、以下の一つ又は複数の情報を含む。
【００４９】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−ＷＴ側でオフロードする必要があるベアラ情報。ベアラ関連情報は、ベアラＩＤ、ＱｏＳ情報、ベアラアップリンク伝送アドレスを含むが、これに限定されるものではない。選択的に、どのベアラに対してＷＬＡＮのオフロードを行うことができるかの判定は、ＵＥによってなされてもよく、又は基地局にてベアラ属性に基づいてなされてもよい。オフロード可能なベアラを指示することもでき、当該指示情報はベアラ関連情報の一部としてもよい。
【００５０】
−アグリゲーション配置情報。ＡＰリスト（一つ又は複数のＡＰ情報）、ＵＥから報告された関連ＡＰ測定情報、ＵＥのＭＡＣアドレス情報を含むが、これに限定されるものではない。ネットワークアシスタンスアグリゲーションの方式である場合、ＵＥから報告されたＡＰ情報のみを具備すればよい。ネットワーク制御の方式である場合、ｅＮＢがＡＰのアグリゲーションに関与することを決定する場合、ｅＮＢは、アグリゲーションに関与する１つ又は複数のＡＰ情報を決定して、ＷＴに通知する必要がある。又は、ＷＴがＡＰのアグリゲーションを決定する場合、ｅＮＢは、ＵＥによって測定されたＡＰリストと測定結果とをＷＴに通知する必要があり、ＷＴによって選択する。又は、ｅＮＢが、ＵＥのＭＡＣアドレス情報をＷＴに通知するだけで、ＷＴは、ＵＥのＭＡＣアドレス情報に従って、ＵＥが現在接続されているＡＰを知ることができる。
【００５１】
−オペレーターによって制御されるＷＴデバイスに対して、ｅＮＢは、アグリゲーションのために提案されたＰＬＭＮをＷＴに通知することができる。
−オフロードフロー制御をより良く実施するために、アグリゲーションのために提案されたＷＴ側でのＵＥアグリゲーション最大レートをＷＴに通知することもできる。
−必要に応じて、ＵＥの認証および鍵情報を含むこともできる。
−ＵＥが既にＷＬＡＮシステムにアクセスされた場合、ＵＥがデータ伝送に用いられるＩＰアドレス情報を含むことができる。
【００５２】
ステップ５０２：ＷＴの処理が成功した場合、追加要求確認メッセージをｅＮＢに送信する。ＷＴの処理が失敗した場合、ステップ５０３に進む。当該メッセージには、以下の１つ又は複数の情報が含まれる。
【００５３】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
【００５４】
−ＷＴ側でオフロードを受け入れるベアラ情報。ベアラ関連情報は、ベアラＩＤ、ＱｏＳ情報、ベアラダウンリンク伝送アドレスを含むが、これに限定されるものではない。
−ＷＴ側でオフロードが拒絶されるベアラ情報。ベアラ関連情報は、ベアラＩＤ、拒絶原因を含むが、これに限定されるものではない。
−アグリゲーション配置情報。ＡＰリスト（一つ又は複数のＡＰ情報）を含むが、これに限定されるものではない。ＵＥが先にＡＰアクセスを開始する場合、ＷＴはＡＰ情報を具備しなくてもよい。ＵＥが後にＡＰアクセスを開始する場合、ＷＴはアドバイスされたＡＰ関連情報をｅＮＢに通知してもよい。
−ＷＴ側で受け入れることができるＵＥアグリゲーション最大レート。ＷＴは、自身の状況に応じて、受け入れたＷＴ側でのＵＥアグリゲーション最大レートをｅＮＢに通知する。
【００５５】
ステップ５０３：ＷＴ処理が失敗した場合、追加要求失敗メッセージをｅＮＢに送信する。当該メッセージには、以下の１つ又は複数の情報が含まれる。
【００５６】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−拒絶原因。
【００５７】
選択的に、ＵＥエアインタフェースの再配置が完了された後、ｅＮＢは、ＷＴ配置完了メッセージをＷＴに送信して、ＵＥがＬＴＥ−ＷＬＡＮアグリゲーション準備を済ませたことをＷＴに通知する。当該メッセージには、以下の１つ又は複数の情報が含まれる。
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−最終的にｅＮＢによって確認されたアグリゲーション配置情報。ネットワークによる制御である場合、ｅＮＢは、ＷＴの追加確認メッセージにおける配置を受け入れるか否かを決定することができる。
−ＵＥがデータ伝送に用いられるＩＰアドレス情報。
【００５８】
実施例２
ＷＴ削除フローを図６に示す。
ステップ６０１：ｅＮＢは削除メッセージをＷＴに送信する。当該メッセージには、以下の１つ又は複数の情報が含まれる。
【００５９】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−ＷＴ削除原因。ｅＮＢによってトリガされる解放原因は、ＵＥによる測定の報告であってもよく、ＵＥから報告された異常指示によって引き起こされてもよく（例えば、ＵＥ  ｐｅｒｆｅｒｅｎｃｅ変更、又はユーザがＷＬＡＮなどをオフにするなど）、フロー制御関連トリガであってもよい。
−削除されたベアラ情報。データをフォワーディングする必要のあるベアラに対してのみ、フォワーディングアドレスの通知を行う必要がある。
【００６０】
実施例３
ＷＴ削除フローを図７に示す。
ステップ７０１：ＷＴは、削除要求メッセージをｅＮＢに送信する。当該メッセージには、以下の１つ又は複数の情報が含まれる。
【００６１】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−ＷＴ削除原因。ＷＴによってトリガされる解放原因は、ＡＰの自動オフ／省エネルギー、又はＡＰの密結合機能がオフになっているからである。
【００６２】
ステップ７０２：当該ステップは選択的に行うことができる。当該ステップにおいて、ｅＮＢは削除要求確認メッセージをＷＴに送信する。当該メッセージには、以下の１つ又は複数の情報が含まれる。
【００６３】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−削除されたベアラ情報。データをフォワーディングする必要のあるベアラに対してのみ、フォワーディングアドレスの通知を行う必要がある。
【００６４】
実施例４
ＷＴ修正フローを図８に示す。
ステップ８０１：ｅＮＢは修正要求メッセージをＷＴに送信する。当該メッセージには、以下の１つ又は複数の情報が含まれる。
【００６５】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−ＷＴ修正の原因又は指示。ＷＴでのＡＰ配置の変更、ベアラタイプの変更（オフロードベアラが普通のベアラになる）を含むが、これに限定されるものではない。
【００６６】
−ＷＴ側でオフロードする必要が変更になるベアラ情報。ベアラ追加リスト、ベアラ修正リスト、ベアラ削除リストの中の一つ又は複数を含む。ここで、ベアラ関連情報は、ベアラＩＤ、ＱｏＳ情報、ベアラアップリンク伝送アドレス、ダウンリンクデータフォワーディングアドレスを含むが、これに限定されるものではない。
−アグリゲーション配置情報。ｅＮＢによってトリガされ、且つＵＥが新たにアクセスされる必要のあるＡＰ情報であり、ＡＰリスト（一つ又は複数のＡＰ情報）、ＵＥから報告された関連ＡＰ測定情報、ＵＥのＭＡＣアドレス情報を含むが、これに限定されるものではない。
【００６７】
−オペレーターによって制御されるＷＴデバイスに対して、ｅＮＢは、サービスＰＬＭＮをＷＴに通知することができる。
−オフロードフロー制御をより良く実施するために、アグリゲーションのために提案されたＷＴ側でのＵＥアグリゲーション最大レートをＷＴに通知することもできる。
【００６８】
−必要に応じて、ＵＥの認証および鍵情報を含むこともできる。
−ＵＥが既にＷＬＡＮシステムにアクセスされた場合、ＵＥがデータ伝送に用いられるＩＰアドレス情報を含むことができる。
【００６９】
ステップ８０２：ＷＴの処理が成功した場合、修正要求確認メッセージをｅＮＢに送信する。ＷＴの処理が失敗した場合、ステップ８０３に進む。当該メッセージには、以下の１つ又は複数の情報が含まれる。
【００７０】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−ＷＴ側で修正を受け入れるオフロードベアラ情報。ベアラ追加受け入れリスト、ベアラ修正受け入れリスト、ベアラ削除受け入れリストの中の一つ又は複数を含む。ここで、ベアラ関連情報は、ベアラＩＤ、ＱｏＳ情報、ベアラダウンリンク伝送アドレスを含むが、これに限定されるものではない。
【００７１】
−ＷＴ側で修正が拒絶されるオフロードベアラ情報。ベアラ関連情報は、ベアラＩＤ、拒絶原因を含むが、これに限定されるものではない。
−アグリゲーション配置情報。ＷＴにＡＰ変更が発生した場合、ｅＮＢに通知することができる。ＡＰリスト（一つ又は複数のＡＰ情報）を含むが、これに限定されるものではない。
−ＷＴ側で受け入れることができるＵＥアグリゲーション最大レート。ＷＴは、自身の状況に応じて、受け入れたＷＴ側でのＵＥアグリゲーション最大レートをｅＮＢに通知する。
【００７２】
ステップ８０３：ＷＴ処理が失敗した場合、修正要求失敗メッセージをｅＮＢに送信する。当該メッセージには、以下の１つ又は複数の情報が含まれる。
【００７３】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−拒絶原因。
【００７４】
選択的に、ＵＥエアインタフェースの再配置が完了された後、ｅＮＢは、ＷＴ配置完了メッセージをＷＴに送信して、ＵＥがＬＴＥ−ＷＬＡＮアグリゲーション準備を済ませたことをＷＴに通知する。
【００７５】
実施例５
ＷＴ修正フローを図９に示す。
ステップ９０１：ＷＴは、ＷＴ修正要求メッセージをｅＮＢに送信する。当該メッセージには、以下の１つ又は複数の情報が含まれる。
【００７６】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
【００７７】
−ＷＴ修正の原因又は指示。ＷＴでのＡＰ配置の変更、ベアラタイプの変更（オフロードベアラが普通のベアラになる）を含むが、これに限定されるものではない。
−ＷＴ側で解放することが提案されているオフロードベアラ情報。ベアラ関連情報は、ベアラＩＤ、解放原因を含むが、これに限定されるものではない。
−アグリゲーション配置情報。ＷＴにＡＰの変更が発生した場合、ｅＮＢに通知することができる。ＡＰリスト（一つ又は複数のＡＰ情報）を含むが、これに限定されるものではない。
【００７８】
ステップ９０２：ｅＮＢは、修正要求メッセージをＷＴに送信する。その内容は、ｅＮＢによってトリガされるＷＴ修正フローと同じである。
ステップ９０３：ＷＴは、修正要求確認メッセージをｅＮＢに送信する。その内容は、ｅＮＢによってトリガされるＷＴ修正フローと同じである。
ステップ９０４：ｅＮＢは、ＷＴ修正要求確認メッセージを送信する。当該メッセージには、以下の１つ又は複数の情報が含まれる。
【００７９】
−ＵＥ識別子情報。ｅＮＢ  ＵＥ  Ｘｗ  ＡＰ  ＩＤ、及びＷＴ  ＵＥ  Ｘｗ  ＡＰ  ＩＤのようにインタフェース上でＵＥを一意的に識別できる識別子情報であってもよく、又は、Ｘｗ  ＵＥ  ＩＤのみを利用して、両端でＵＥを一意的に識別してもよい。現在、Ｘｗ  ＵＥ  ＩＤとして、ＵＥ  ＷＬＡＮ  ＭＡＣアドレス、ＵＥ  ＩＭＳＩ、ＰＴＩＤという３つの形式が可能である。
−アグリゲーション配置情報。ｅＮＢによって確認された後のＷＴ配置情報である。ＡＰリスト（一つ又は複数のＡＰ情報）を含むが、これに限定されるものではない。
【００８０】
実際の実装において、３ＧＰＰシステムのアクセスネットワーク側のネットワークエレメントは、ｅＮＢ又はＲＮＣであってもよい。ＷＬＡＮシステムのネットワークエレメントは、ＷＴ、ＡＰ、又はＡＣであってもよい。
【００８１】
当業者であれば、上記実施例のステップの全部又は一部を、コンピュータプログラムフローにより実現でき、前記コンピュータプログラムは、１つのコンピュータ読み取り可能な記録媒体に記憶されることができ、前記コンピュータプログラムは、対応するハードウェアプラットフォーム（例えば、システム、機器、装置、デバイス等）で実行され、実行に当たって、方法の実施例に係るステップの１つ又はその組み合わせを含むことは、理解できるものである。
【００８２】
選択的に、上記実施例のステップの全部又は一部は、集積回路を使用して実現することもでき、これらのステップは、それぞれ１つの集積回路モジュールに作成されてもよく、又はそれらの中の複数のモジュール又はステップを単一の集積回路モジュールに作成して実現することもできる。
【００８３】
上記実施例における装置／機能モジュール／機能ユニットは、汎用の計算装置を採用して実現でき、それらは単一の計算装置に集中されてもよく、複数の計算装置からなるネットワーク上に分散されてもよい。
【００８４】
上記実施例における装置／機能モジュール／機能ユニットが、ソフトウェア機能モジュールの形式で実現され、且つ独立した製品として販売又は使用される場合、１つのコンピュータ読み取り可能な記録媒体に記憶されてもよい。上記で言及されたコンピュータ読み取り可能な記録媒体は、読み取り専用メモリ、磁気ディスク、又は光ディスク等であってもよい。
【００８５】
当業者であれば、本発明の精神を逸脱しない範囲内で、本発明の技術案に対し行った修正や等同切替のすべては、本発明の特許請求の範囲に含まれることは、理解できるものである。
【産業上の利用可能性】
【００８６】
本発明の実施例によって提供される方法および装置によれば、複数のシステムが同時にＵＥにサービスを提供することができるように、３ＧＰＰ−ＷＬＡＮ統合ネットワ−キングシーンにおけるアグリゲーションを実現することができる。
【図１】
0006668452.tif 000002
【図２】
0006668452.tif 000003
【図３】
0006668452.tif 000004
【図４】
0006668452.tif 000005
【図５】
0006668452.tif 000006
【図６】
0006668452.tif 000007
【図７】
0006668452.tif 000008
【図８】
0006668452.tif 000009
【図９】
0006668452.tif 000010